【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
筐体の一部を構成するケースと、
前記筐体の一部を構成し、内側に第１の凹部と第２の凹部とを有するカバーと、
前記筐体内に収納されるとともに、周縁に切欠きの形成された第１の起立部と、前記第１の起立部とは反対側の辺に形成された第２の起立部とを有する金属プレートと、
前記切欠きに対応した相対向する辺上に第１の突起を有し、前記第１の凹部に対応した相対向する辺上に第２の突起を有し、かつ、前記第２の突起を有する辺上であって前記第２の凹部に対応するとともに前記第２の起立部の端部に対応する位置に第３の突起を有する回路基板と、
前記回路基板の電子回路の形成された面に取り付けられたシャーシ枠と、
前記回路基板と前記金属プレートの間に介挿されるシールド蓋と、を備え、
前記回路基板は、前記第１の突起を前記切欠きに係止させることで前記金属プレートに固定され、前記第２の突起を前記第１の凹部に係止させることで前記カバーに固定され、かつ、前記第３の突起を前記第２の起立部の端部に係止させることで前記金属プレートに固定されるとともに前記第２の凹部に係止させることで前記カバーに固定され、
前記シールド蓋は、前記金属プレートに弾性的に接触する切起し片を有する携帯端末装置。
【請求項２】
請求項１に記載の携帯端末装置であって、
前記シャーシ枠は、前記回路基板上に、前記回路基板上の回路を囲むように起立せしめられた携帯端末装置。
【請求項３】
請求項１又は請求項２に記載の携帯端末装置であって、
前記金属プレートは、孔を有する携帯端末装置。
【請求項４】
請求項３に記載の携帯端末装置であって、
前記金属プレートは、前記回路基板上に搭載される高周波回路に対向する位置を避けて孔を形成した携帯端末装置。
【請求項５】
請求項１に記載の携帯端末装置であって、
前記切起し片は、シャーシ枠の枠部分に対向する位置にそれぞれ形成された携帯端末装置。
【請求項６】
請求項１に記載の携帯端末装置であって、
前記シャーシ枠は前記回路基板の外縁近傍に配設された外枠部と、前記外枠部に接触するとともに前記外枠部で囲まれた領域を複数に分割する内枠部とで構成された携帯端末装置。
【請求項７】
請求項６に記載の携帯端末装置であって、
前記切起し片は、前記シャーシ枠の内枠部に対向する位置に配設された携帯端末装置。
【請求項８】
請求項７に記載の携帯端末装置であって、
前記切起し片は、前記シールド蓋の周縁部では、中心に向かうＶ字状の形状に切り起こして形成される携帯端末装置。
【請求項９】
請求項７又は請求項８に記載の携帯端末装置であって、
前記切起し片は、前記シールド蓋の中心部では、外方に向かうＶ字状の形状に切り起こして形成される携帯端末装置。
【請求項１０】
請求項８又は請求項９に記載の携帯端末装置であって、
前記切起し片は、それぞれ先端近傍に小突起を有する携帯端末装置。
【請求項１１】
請求項１乃至請求項１０のいずれか一項に記載の携帯端末装置であって、
前記筐体の側面に設けられたサイドキーを備え、
前記カバーは、前記サイドキーの設けられた側の側面の内側に前記第１の凹部を有し、
前記金属プレートは、前記サイドキーの設けられた側面の反対側の前記第１の起立部に前記切欠きの形成された携帯端末装置。
【手続補正２】
【補正対象書類名】明細書
【補正対象項目名】０００８
【補正方法】変更
【補正の内容】
【０００８】
本発明の携帯端末装置は、筐体の一部を構成するケースと、前記筐体の一部を構成し、内側に第１の凹部と第２の凹部とを有するカバーと、前記筐体内に収納されるとともに、周縁に切欠きの形成された第１の起立部と、前記第１の起立部とは反対側の辺に形成された第２の起立部とを有する金属プレートと、前記切欠きに対応した相対向する辺上に第１の突起を有し、前記第１の凹部に対応した相対向する辺上に第２の突起を有し、かつ、前記第２の突起を有する辺上であって前記第２の凹部に対応するとともに前記第２の起立部の端部に対応する位置に第３の突起を有する回路基板と、前記回路基板の電子回路の形成された面に取り付けられたシャーシ枠と、前記回路基板と前記金属プレートの間に介挿されるシールド蓋と、を備え、前記回路基板は、前記第１の突起を前記切欠きに係止させることで前記金属プレートに固定され、前記第２の突起を前記第１の凹部に係止させることで前記カバーに固定され、かつ、前記第３の突起を前記第２の起立部の端部に係止させることで前記金属プレートに固定されるとともに前記第２の凹部に係止させることで前記カバーに固定され、前記シールド蓋は、前記金属プレートに弾性的に接触する切起し片を有することを特徴とする。
この構成によれば、シールド部材として金属プレートを用い、金属プレートを薄くすることで、携帯端末装置の薄型化を図ることができる。また、回路基板を筐体の一部を構成するカバーと金属プレートとに係止させ、落下時などの衝撃を分散させることで、耐衝撃性の高い携帯端末装置を提供することができる。また、このような構成にすることにより、作業性良く安価に携帯端末装置を組み立てることもできる。さらに、この構成によれば、金属プレートに弾性的に接触する切起し片を有するシールド蓋を用いることで、キーボタン（スイッチ部）の押下、衝撃などを受けた場合でも金属プレートと回路基板の間のグランド接続を確実にすることができるので、確実なシールド効果を得ることができ、衝撃に対する緩衝性を高めることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１４
【補正方法】変更
【補正の内容】
【００１４】
また、本発明は、上記携帯端末装置において、前記切起し片は、シャーシ枠の枠部分に対向する位置にそれぞれ形成されたことを特徴とする。
この構成によれば、シャーシ枠に対応して設けられ、弾性的に接触する切起し片を用いているため、金属プレートに多少の反りや歪が存在しても、切起し片によりシャーシ枠に確実に接触し、シールド性能を発揮し、衝撃に対する緩衝性を高めることができる。
【手続補正６】
【補正対象書類名】明細書
【補正対象項目名】００１６
【補正方法】変更
【補正の内容】
【００１６】
また、本発明は、上記携帯端末装置において、前記切起し片は、前記シャーシ枠の内枠部に対向する位置に配設されたことを特徴とする。
この構成によれば、より良好な接触性を維持することができ、これによりシールド性能自体も良好となる。
【手続補正７】
【補正対象書類名】明細書
【補正対象項目名】００２０
【補正方法】変更
【補正の内容】
【００２０】
また、本発明は、上記携帯端末装置において、前記筐体の側面に設けられたサイドキーを備え、前記カバーは、前記サイドキーの設けられた側の側面の内側に前記第１の凹部を有し、前記金属プレートは、前記サイドキーの設けられた側面の反対側の前記第１の起立部に前記切欠きの形成されたことを特徴とする。
この構成によれば、サイドキーを取り付ける部分の機械的強度を保ち、サイドキーが押下されたときに、回路基板までその力が伝わりにくくしつつ、筐体全体として、薄型化を図りつつも落下時などの衝撃に対する耐性の高い携帯端末装置を提供することができる。
【手続補正８】
【補正対象書類名】明細書
【補正対象項目名】００２１
【補正方法】変更
【補正の内容】
【００２１】
本発明の携帯端末装置によれば、シールド部材として金属プレートを用い、金属プレートを薄くすることで、携帯端末装置の薄型化を図ることができる。また、回路基板を筐体の一部を構成するカバーと金属プレートとに係止させ、落下時などの衝撃を分散させることで、耐衝撃性の高い携帯端末装置を提供することができる。また、このような構成にすることにより、作業性良く安価に携帯端末装置を組み立てることができる。さらに、金属プレートに弾性的に接触する切起し片を有するシールド蓋を用いることで、キーボタン（スイッチ部）の押下、衝撃などを受けた場合でも金属プレートと回路基板の間のグランド接続を確実にすることができるので、確実なシールド効果を得ることができ、衝撃に対する緩衝性を高めることができる。
【手続補正９】
【補正対象書類名】明細書
【補正対象項目名】００２６
【補正方法】変更
【補正の内容】
【００２６】
さらに、回路基板３５の主面には、図２及び図５に示すように、シールド蓋３４が取り付けられる。そして、シールド蓋３４は、回路基板３５と金属プレート３３の間に介挿される。シールド蓋３４は、金属プレート３３に弾性的に接触する切起し片を有する。回路基板３５と金属プレート３３の間に、このようなシールド蓋３４を入れることで、キーボタンの押下、衝撃などを受けた場合でもシールド部材である金属プレート３３と回路基板３５の間のグランド接続を確実にすることで、確実なシールド効果を得て、衝撃に対する緩衝性を高めるようにしている。なお、このシールド蓋３４は、厚さ０．１ｍｍ程度の金属板を打ち抜き加工し、折り曲げることで形成できる。
【手続補正１０】
【補正対象書類名】明細書
【補正対象項目名】００２９
【補正方法】変更
【補正の内容】
【００２９】
このような構成によれば、シールド部材として金属プレート３３を用い、金属プレート３３を薄くすることで、携帯電話機１０の薄型化を図ることができる。また、回路基板３５を筐体の一部を構成するカバー３１と金属プレート３３とに係止させ、落下時などの衝撃を分散させることで、耐衝撃性の高い携帯電話機１０を提供することができる。また、このような構成にすることにより、ネジなどを極力少なくすることができ、作業性良く安価に携帯電話機１０を組み立てることができる。
【手続補正１１】
【補正対象書類名】明細書
【補正対象項目名】００４０
【補正方法】変更
【補正の内容】
【００４０】
シールド蓋３４には、金属プレート３３に弾性的に接触する切起し片３４１、３４２を有する。この切起し片３４１、３４２は、シャーシ枠の内枠部（シャーシ内枠３５３）に対向する位置に配設される。このうち、シールド蓋３４の周縁部では、切起し片３４１は、中心に向かうＶ字状の形状に切り起こして形成される。他方、シールド蓋３４の中心部では、切起し片は３４２、外方に向かうＶ字状の形状に切り起こして形成される。また、切起し片３４１、３４２は、それぞれ先端近傍に小突起Ｔを有する。
【手続補正１２】
【補正対象書類名】明細書
【補正対象項目名】００４１
【補正方法】変更
【補正の内容】
【００４１】
この構成によれば、金属プレート３３に弾性的に接触する切起し片３４１、３４２を有するシールド蓋３４を用いることで、キーボタン（スイッチ部３２１）の押下、衝撃などを受けた場合でも金属プレート３３と回路基板３５の間のグランド接続を確実にすることができるので、確実なシールド効果を得ることができ、衝撃に対する緩衝性を高めることができる。また、シャーシ枠（シャーシ内枠３５３）に対応して設けられ、弾性的に接触する切起し片３４１、３４２を用いているため、金属プレート３３に多少の反りや歪が存在しても、切起し片３４１、３４２により金属プレート３３に確実に接触し、シールド性能を発揮し、衝撃に対する緩衝性を高めることができる。また、シールド蓋３４の周縁部では、中心に向かうＶ字状の形状に切り起こしているため（切起し片３４１）、シールド蓋に反りや歪があったとしても金属プレート３３の周縁部と切起し片３４１とのより安定で、確実な電気的接触を得ることができる。また、シールド蓋３４の中心部では、外方に向かうＶ字状の形状に切り起こしているため（切起し片３４２）、シールド蓋３４に反りや歪があったとしても金属プレート３３の中心部と切起し片３４２とのより安定で、確実な電気的接触を得ることができる。また、切起し片３４１、３４２は、それぞれ先端近傍に小突起Ｔを有するので、点接触により確実な接触状態を得ることができる。なおこの小突起Ｔは、パンチングにより形成すれば極めて容易にかつ材料の付加もなく形成することができる。
【手続補正１３】
【補正対象書類名】明細書
【補正対象項目名】００４２
【補正方法】変更
【補正の内容】
【００４２】
金属プレート３３には、回路基板３５上に搭載される高周波回路に対向する位置を避けて孔ｈを形成している。この構成によれば、金属プレート３３に孔ｈが設けられているため、軽量化を図ることができる。また、金属プレート３３は、回路基板３５上に搭載される高周波回路に対向する位置を避けて孔ｈを形成している。この構成によれば、高周波回路に対向する位置を避けて金属プレート３３に孔ｈが設けられているため、高周波などによるノイズなどを低減し、シールド性能を発揮しつつ、軽量化を図ることができる。なお、この孔ｈは設けなくてもよく、重量と強度にあわせて、孔ｈの密度も適宜調整してもよい。
【手続補正１４】
【補正対象書類名】明細書
【補正対象項目名】００４５
【補正方法】変更
【補正の内容】
【００４５】
さらに、本実施の形態の携帯電話機１０によれば、金属プレート３３に弾性的に接触する切起し片３４１、３４２を有するシールド蓋３４を用いることで、キーボタン（スイッチ部３２１）の押下、衝撃などを受けた場合でも金属プレート３３と回路基板３５の間のグランド接続を確実にすることができるので、確実なシールド効果を得ることができ、衝撃に対する緩衝性を高めることができる。
【手続補正１５】
【補正対象書類名】明細書
【補正対象項目名】００４６
【補正方法】変更
【補正の内容】
【００４６】
本発明の携帯端末装置は、シールド部材として金属プレートを用い、金属プレートを薄くすることで、携帯端末装置の薄型化を図ることができる。また、回路基板を筐体の一部を構成するカバーと金属プレートとに係止させ、落下時などの衝撃を分散させることで、耐衝撃性の高い携帯端末装置を提供することができる。また、このような構成にすることにより、作業性良く安価に携帯端末装置を組み立てることができる。さらに、金属プレートに弾性的に接触する切起し片を有するシールド蓋を用いることで、キーボタン（スイッチ部）の押下、衝撃などを受けた場合でも金属プレートと回路基板の間のグランド接続を確実にすることができるので、確実なシールド効果を得ることができ、衝撃に対する緩衝性を高めることができる。これらのことから、本発明は、携帯電話機、ＰＨＳ、ＰＤＡ等を含む携帯端末装置への適用が可能である。